(57)【要約】【課題】入力エラーを入力操作の事前に防ぐことができるソフトキーボード機能を組み込んだ電子フォーム印刷システムを提供する。【解決手段】電子フォームにおいて入力選択された入力項目の項目情報に基づいて制御されたソフトウェアキーボードを入力項目の入力欄とともに表示し、ソフトウェアキーボードを操作することによって入力欄への入力が行われるようにしたソフトキーボード機能付電子フォームシステム。ソフトウェアキーボードは入力欄への入力内容に基づいて制御されたソフトウェアキーボードに切替が行われるようにしたソフトキーボード機能付電子フォームシステム。【選択図】  図１
2005215728.tif 000002
【特許請求の範囲】
【請求項１】
電子フォームにおいて入力選択された入力項目の項目情報に基づいて制御されたソフトウェアキーボードを前記入力項目の入力欄とともに表示し、前記ソフトウェアキーボードを操作することによって前記入力欄への入力が行われるように構成したことを特徴とするソフトキーボード機能付電子フォームシステム。
【請求項２】
請求項１記載のソフトキーボード機能付電子フォームシステムにおいて、前記ソフトウェアキーボードは前記入力欄への入力内容に基づいて制御されたソフトウェアキーボードに切替が行われるように構成したことを特徴とするソフトキーボード機能付電子フォームシステム。
【請求項３】
請求項１または２記載のソフトキーボード機能付電子フォームシステムにおいて、前記制御は前記ソフトキーボードにおいて使用可能キーを変更する制御であることを特徴とするソフトキーボード機能付電子フォームシステム。
【請求項４】
請求項３記載のソフトキーボード機能付電子フォームシステムにおいて、前記制御は前記使用可能キーを表示し、その他のキーを非表示とする制御であることを特徴とするソフトキーボード機能付電子フォームシステム。
【請求項５】
請求項３記載のソフトキーボード機能付電子フォームシステムにおいて、前記制御は前記使用可能キーを点灯表示し、その他のキーを非点灯表示とする制御であることを特徴とするソフトキーボード機能付電子フォームシステム。
【発明の詳細な説明】
【技術分野】
【０００１】
本発明は電子フォームの技術分野に属する。特に、電子フォームの入力様式に適合するソフトキーボード機能を組み込んだ電子フォームシステムに関する。
【背景技術】
【０００２】
電子フォームにおけるパスワード、氏名、電話番号、等の入力作業には、ほとんどの場合、キーボードが使用されている。通常のキーボードの代わりにソフトキーボード（Software Keyboard）が使用されることもある。ソフトキーボードはキーボードの機能をソフトウェアで実現したものであり、画面上にキーボードの絵を表示し、ペンなどで各キーを指定して文字入力を行なう。主として、キーボードが必ずしも標準で用意されていない機器で文字入力をするための手段として使用される。
【０００３】
ソフトキーボードを使用した文字入力方法の一例を説明する。アプリケーションプログラム固有の特徴にしたがって、あらかじめ複数の文字列を文字入力候補として用意しておく。そしてそれら文字列それぞれをポインティングデバイスによって選択指定するための複数のボタンを画面表示する。その状態で利用者がポインティングデバイスを用いて特定のボタンを選択指定する。するとそのボタンに対応する文字列が検出され、それが所定の文字入力位置に自動的に表示される。したがって、利用者は現在実行しているアプリケーションに適した文字列を簡便な操作で、かつ高速に入力することが可能となる（特許文献１参照）。
【０００４】
【特許文献１】特開平９−２２２９５２
【０００５】
ところが特許文献１に記載された発明は、特定の文字列を文字入力選択候補として表示し、選択入力する発明であるが、この発明では「名前」、「住所」などの想定されない文字列（任意の文字列）を入力することはできないという問題がある。
【０００６】
また、電子フォームそのものにも問題がある。電子フォームには、数字入力チェック、カナ入力チェックのプログラムが組み込まれており、入力段階で正しい書式が得られるようになっている。しかし、従来のチェックプログラムは、入力エラーが発生したときに修正を促すメッセージ（テキスト）を発生し注意を促す方式となっている。
【発明の開示】
【発明が解決しようとする課題】
【０００７】
任意の文字列を入力することができ、入力エラーを入力操作の事前に防ぐことができるソフトキーボード機能を組み込んだ電子フォーム印刷システムを提供することにある。
【課題を解決するための手段】
【０００８】
本発明の請求項１に係るソフトキーボード機能付電子フォームシステムは、電子フォームにおいて入力選択された入力項目の項目情報に基づいて制御されたソフトウェアキーボードを前記入力項目の入力欄とともに表示し、ソフトウェアキーボードを操作することによって前記入力欄への入力が行われるようにしたものである。
また本発明の請求項２に係るソフトキーボード機能付電子フォームシステムは、請求項１に係るソフトキーボード機能付電子フォームシステムにおいて、前記ソフトウェアキーボードは前記入力欄への入力内容に基づいて制御されたソフトウェアキーボードに切替が行われるようにしたものである。
また本発明の請求項３に係るソフトキーボード機能付電子フォームシステムは、請求項１または２に係るソフトキーボード機能付電子フォームシステムにおいて、前記制御は前記ソフトキーボードにおいて使用可能キーを変更する制御であるようにしたものである。
また本発明の請求項４に係るソフトキーボード機能付電子フォームシステムは、請求項３に係るソフトキーボード機能付電子フォームシステムにおいて、前記制御は前記使用可能キーを表示し、その他のキーを非表示とする制御であるようにしたものである。
また本発明の請求項５に係るソフトキーボード機能付電子フォームシステムは、請求項３に係るソフトキーボード機能付電子フォームシステムにおいて、前記制御は前記使用可能キーを点灯表示し、その他のキーを非点灯表示とする制御であるようにしたものである。
【発明の効果】
【０００９】
本発明の請求項１に係るソフトキーボード機能付電子フォームシステムによれば、電子フォームにおいて入力選択された入力項目の項目情報に基づいて制御されたソフトウェアキーボードが入力項目の入力欄とともに表示され、そのソフトウェアキーボードを操作することによって入力欄への入力が行われる。すなわち、このソフトウェアキーボードを入力項目の項目情報に適合するソフトウェアキーボードとすることができる。したがって、入力エラーを入力操作の事前に防ぐことができるソフトキーボード機能を組み込んだ電子フォーム印刷システムが提供される。
また本発明の請求項２に係るソフトキーボード機能付電子フォームシステムによれば、ソフトウェアキーボードは入力欄への入力内容に基づいて制御されたソフトウェアキーボードに切替が行われる。すなわち、入力が始まると入力欄への入力内容に適合するソフトウェアキーボードに切替ることができる。したがって、ソフトキーボードを入力内容に適合させることができる。
また本発明の請求項３に係るソフトキーボード機能付電子フォームシステムによれば、制御はソフトキーボードにおいて使用可能キーを変更する制御である。したがって、使用不可能キーを入力するエラーを事前に防ぐことができる。
また本発明の請求項４に係るソフトキーボード機能付電子フォームシステムによれば、制御は使用可能キーを表示し、その他のキーを非表示とする制御である。したがって、表示／非表示によって使用可能キー／使用不可能キーの別が分かる。
また本発明の請求項５に係るソフトキーボード機能付電子フォームシステムによれば、制御は使用可能キーを点灯表示し、その他のキーを非点灯表示とする制御である。したがって、点灯／非点灯によって使用可能キー／使用不可能キーの別が分かる。
【発明を実施するための最良の形態】
【００１０】
次に、本発明の実施の形態について図を参照しながら説明する。本発明のソフトキーボード機能付電子フォームシステムにおける全体構成を示す絵図を図１に示す。まず、この図１を参照し、システムの全体像を説明する。図１において、１は顧客通信端末、２はサーバーである。顧客通信端末１はパーソナルコンピュータ等によって構成されるクライアントコンピュータシステムであって通信回線によってサーバー２と接続される。サーバー２は電子フォームを利用するアプリケーションのサーバーである。サーバー２は、たとえば、ＡＳＰ（application service provider）が備えるコンピュータシステムである。
【００１１】
図１に示すように、顧客は顧客通信端末１を操作しサーバー２から電子フォームを顧客通信端末１に受信する。電子フォームは、入力フォーム、入力支援プログラム（ソフトキーボード機能）、画像データ、等から構成されるソフトキーボード機能付電子フォームである。顧客は顧客通信端末１を操作しそのソフトキーボード機能付電子フォームの入力欄を埋める。このとき入力支援プログラム（ソフトキーボード機能）が動作する。顧客は顧客通信端末１を操作し顧客通信端末１から送信データをサーバー２に送信する。送信データは、入力データ、添付データ、署名データ、等から構成される。
【００１２】
ソフトキーボード機能付電子フォームにおける構成の一例を図２に示す。図２に示すように、ソフトキーボード機能付電子フォームは、一般的な電子フォームにソフトキーボード機能が付いている形態となっている。このソフトキーボード機能付電子フォームは、顧客通信端末１におけるディスプレイに表示され、その表示を見ながら顧客が入力項目の入力欄に入力を行う。
【００１３】
図２に示す一例においては、電子フォームの部分における入力項目は「氏名」と「電話番号」であり、各々の入力欄は矩形の枠で示されている。ソフトキーボード機能の部分は実体のキーボードと同様に複数のキーが配置された画像のキーボードである。キーとしては「決定」キー、「漢字／カナ変換」キー、等の一般的な実体のキーボードにおけるキーが存在する。このようなキーの種類は、一般的な実体のキーボードと同一であってもよいが、使用しないか使用頻度が低いキーについては省略することにより操作性が向上し好適である。
【００１４】
ソフトキーボードはディスプレイに表示された画像のキーボードであるから、実際の入力操作は、マウス、透明タッチパネル、等のポインティングデバイスを組み合わせて行う。視線入力システム、音声入力システム、等との組み合わせも可能である。ソフトキーボードにおける入力方法については周知の入力方法を適用することができるから説明を省略する。
【００１５】
本発明におけるソフトキーボード機能について図３、図４を参照して説明する。図３、図４はソフトキーボード機能の一例を示す説明図である。顧客通信端末１のディスプレイに表示されたソフトキーボード機能付電子フォームにおいて、顧客は入力項目における電話番号の入力欄に、たとえばカーソルを進める。これにより電話番号が入力選択されたことになる。入力支援プログラム（ソフトキーボード機能）は、その入力選択された入力項目の項目情報に基づいて制御されたソフトウェアキーボードを表示する。
ここで項目情報は入力項目に関する属性情報である。たとえば、入力項目の入力欄に入力する文字形式（数字、英数字、ひらがな、等）、フォント（書体、ポイント）、表示形式（名前、年月日、時刻、郵便番号、電話番号、通貨、桁数、等）、等を規定するための情報である。
【００１６】
図３に示すように、ソフトウェアキーボードには点灯部分と消灯部分とが存在する。点灯するのは、ソフトウェアキーボードにおける数字キーの部分と数字入力に係わる制御キーの部分である。制御キーとしては、決定キー、漢字／カナ変換キー、クリアキー（デリートキー）、等が点灯する。そして、ソフトウェアキーボードにおけるその他のキーは消灯する。点灯しているキーは入力操作が可能なキーであり、消灯しているキーは入力操作が不可能なキーである。数字入力に必要なキーだけを点灯表示することにより、入力エラーを入力操作の事前に防ぐことができる。
【００１７】
数字入力に必要なキーだけが点灯表示されたソフトキーボード機能付電子フォームにおいて、顧客は入力項目における電話番号の入力欄に「０３−××××−××××」を入力する。「０３−」から始まる電話番号の続く部分は数字８桁（×の部分）であるから、その８桁の数字が入力されると、さらに数字を入力する必要はなくなる。そこで入力支援プログラム（ソフトキーボード機能）は、入力欄への入力内容に基づいて制御されたソフトウェアキーボードに切替を行う。すなわち、図４に示すようにソフトウェアキーボードにおける数字キーの部分が消灯する。
【００１８】
なお、画像であるソフトキーボードにおける点灯、消灯とは、点灯したキーを明るく表示し、消灯したキーを暗く表示することを意味している。キーを点灯、消灯する代わりに、キーを表示、非表示としてもよい。すなわち、入力支援プログラム（ソフトキーボード機能）によって、使用可能キーを表示し、その他のキーを非表示とするように制御されたソフトウェアキーボードが表示されるように構成してもよい。
【図面の簡単な説明】
【００１９】
【図１】本発明のソフトキーボード機能付電子フォームシステムにおける全体構成を示す絵図である。
【図２】ソフトキーボード機能付電子フォームにおける構成の一例を示す図である。
【図３】ソフトキーボード機能の一例（入力選択された入力項目の項目情報に基づいて制御）を示す説明図である。
【図４】ソフトキーボード機能の一例（入力欄への入力内容に基づいて制御）を示す説明図である。
【符号の説明】
【００２０】
１  顧客通信端末
２  サーバー
【図１】
2005215728.tif 000003
【図２】
2005215728.tif 000004
【図３】
2005215728.tif 000005
【図４】
2005215728.tif 000006